(57)【要約】【課題】  携帯電話機等の携帯機器に適用する携帯型入出力装置に関し、キースイッチを含む入出力デバイスの種類及び配置位置を変更可能とする。【解決手段】  表示部２等を有する本体１の上板に複数の挿入穴５を形成し、その挿入穴５の底部や側面に複数の導電性の接触片を設けて、配線により本体１のプロセッサ側と接続し、スイッチ接点部、発光ダイオード等の発光素子からなる発光表示部、スピーカ、マイクロホン等を駆動する為の機能回路部を搭載した入出力デバイスの挿入部を、所望の位置の挿入穴５に挿入して固定し、挿入部の先端や側面に形成した接触片と、挿入穴５の接触片と接触させて、機能回路部を、本体１のプロセッサ側と接続する。【選択図】        図１
2006041656.tif 000002
【特許請求の範囲】
【請求項１】
上板に形成した複数の挿入穴と、該挿入穴内に配置した複数の導電性の接触片と、プロセッサ側と接続し且つ前記接触片と接続した複数の配線とを有する本体と、
前記挿入穴に挿入して固定し且つ前記接触片と接触する導電性の接触片を設けた挿入部と、該挿入部と連結した基部と、該基部に搭載し前記接触片及び前記配線を介して前記プロセッサ側と接続する機能回路部とを有する入出力デバイスと
を備えたことを特徴とする携帯型入出力装置。
【請求項２】
前記本体に、直交配置した複数の配線を設けて前記プロセッサ側と接続し、該配線の交差位置に該配線と接続した接触片を設け、前記機能回路部をスイッチ接点部とし、該スイッチ接点部に接続した接触片と前記挿入穴に設けた接触片とを接触させるように、前記入出力デバイスの挿入部を前記挿入穴に挿入して固定する構成を有することを特徴とする請求項１記載の携帯型入出力装置。
【請求項３】
前記本体に、平行の複数の配線と接触片とを設けた配線板を、前記複数の挿入穴の配列に沿って配置し、前記配線板の前記接触片を前記挿入穴の側面側の接触片としたことを特徴とする請求項１又は２記載の携帯型入出力装置。
【発明の詳細な説明】
【技術分野】
【０００１】
本発明は、入力用のキースイッチやマイクロホン等と、出力用の発光表示部やスピーカ等の入出力デバイスの配置位置を選択可能とした携帯電話機用や携帯機器用の携帯型入出力装置に関する。
【背景技術】
【０００２】
通常のコンピュータ用の入力用のキーボードは、０〜９の数字キーと、アルファベット２６文字の文字キーと、複数の記号キーと、複数のファンクションキーとを含む約９０〜１００個程度のキーを有するものである。これに対して、携帯電話機や各種の携帯機器に於いては、液晶パネルや有機パネル等による表示部と、スピーカと、マイクロホンとを設けた残りの比較的狭いスペースに、テンキー及びファンクションキー等の約２０個程度のキーを設けている。
【０００３】
又携帯電話機用や小型機器用等に於けるテンキーの配置パターンは、何れの機種に於いても殆ど同一であるが、他のファンクションキー等の配置位置は機種毎に異なることが多いものである。又テンキーに対しては、それぞれ複数の文字や記号の入力機能が付与されており、複数回の入力操作により、入力文字等の選択を行うものである。このような繰り返し同一キーの入力操作を簡単化する為に、キー選択入力操作を予め登録することにより、その後の操作により、登録した機能について順次実行することが可能の携帯電話機が提案されている（例えば、特許文献１参照）。
【０００４】
又携帯機器のキーは、それぞれ予め割り当てられた機能を有するように設定されているものであるが、その機能を変更して、操作性の向上を図ることが提案されている（例えば、特許文献２参照）。又キートップに、表示部を設けて、キーの機能や入力状態を表示するアイデアが提案されている（例えば、特許文献３参照）。又液晶パネルにタッチパネル構成の入力用のキーを形成し、各キーの機能を表示可能とすると共に、キーの機能を変更可能とし、その変更した機能の表示を行う携帯電話機が提案されている（例えば、特許文献４参照）。
【特許文献１】特開平９−１８５５９号公報
【特許文献２】特開２００２−３５１５９７号公報
【特許文献３】特開２００２−３５４０７９号公報
【特許文献４】特開２００３−１５２８５３号公報
【発明の開示】
【発明が解決しようとする課題】
【０００５】
従来、キー配置構成とそれぞれのキーの機能とは、携帯電話機や携帯機器の機種に応じて殆ど決まっているもので、ユーザが変更することができない場合が一般的であった。なお、前述のように、一部のキーに対しては、その機能を変更することができる構成も提案されているが、キーの配置位置は固定されている。又機種変更を行った時、慣れたキー配置と異なるキー配置の場合があり、ユーザが困惑する問題があった。即ち、ユーザの要求は、多種多様であり、キー配置構成及び機能割り当ては、ユーザの使い勝手の良し悪しについて余り考慮されていないものであった。又従来の携帯電話機に於いては、マイクロホンとスピーカとはそれぞれ本体の両端近くに配置されており、又着信表示等の発光ダイオードによる表示等の機能を備えた構成も知られているが、その表示個数や、位置等は固定的なものであり、ユーザの多様な要望には対応していないものであった。
【０００６】
本発明は、キーの配置位置を含めて、ユーザの希望に沿った配置と機能との選択並びに他の各種の入出力デバイスの配置も可能とすることを目的とする。
【課題を解決するための手段】
【０００７】
本発明の携帯型入出力装置は、上板に形成した複数の挿入穴と、該挿入穴内に配置した複数の導電性の接触片と、プロセッサ側と接続し且つ前記接触片と接続した複数の配線とを有する本体と、前記挿入穴に挿入して固定し且つ前記接触片と接触する導電性の接触片を設けた挿入部と、該挿入部と連結した基部と、該基部に搭載し前記接触片及び前記配線を介して前記プロセッサ側と接続する機能回路部とを有する入出力デバイスとを備えている。
【０００８】
又前記本体に、直交配置した複数の配線を設けた前記プロセッサ側と接続し、該配線の交差位置に該配線と接続した接触片を設け、前記機能回路部をスイッチ接点部とし、該スイッチ接点部に接続した接触片と前記挿入穴に設けた接触片とを接触させるように、前記入出力デバイスの挿入部を前記挿入穴に挿入して固定する構成を有するものである。
【０００９】
又前記本体に、平行の複数の配線と接触片とを設けた配線板を、前記複数の挿入穴の配列に沿って配置し、前記配線板の前記接触片を前記挿入穴の側面側の接触片とすることができるものである。
【発明の効果】
【００１０】
本体に複数の挿入穴を形成して、選択した挿入穴に、所望の機能回路部を搭載した入出力デバイスの挿入部を挿入して固定することにより、本体のプロセッサ側と機能回路部とを接続して、所望の配置のキースイッチ等の入出力デバイスを配置することにより、ユーザの希望に沿った構成の入出力装置を構成することができる。
【発明を実施するための最良の形態】
【００１１】
本発明の携帯型入出力装置は、図１を参照して説明すると、表示部２等を有する本体１の上板に複数の挿入穴５を形成し、その挿入穴５の底部や側面に複数の接触片を設けて、配線によりプロセッサ側と接続し、スイッチ接点部、発光ダイオード等の発光素子からなる発光表示部、スピーカ、マイクロホン等を駆動する為の機能回路部を搭載した入出力デバイスの挿入部を挿入穴５に挿入して固定し、挿入部の先端や側面に形成した接触片と、挿入穴５の接触片と接触させて、機能回路部を、本体１のプロセッサ側と接続する。
【実施例１】
【００１２】
図１は、本発明の実施例１の説明図であり、携帯型入出力装置として携帯電話機に適用した場合を示し、同図の（Ａ）は、表示部２とスピーカ３とマイクロホン４とを含む携帯電話機の本体１に、多数の挿入穴５を形成した構成を示す。又同図の（Ｂ）は、選択した挿入穴５に、入出力デバイスとしてのキースイッチ部の挿入部を挿入して、従来例と同様なキー配置構成を実現した場合を示す。又同図の（Ｃ）は、入出力デバイスとして、３個のキースイッチ部を設けた場合を示し、例えば、上側の上下左右の方向の指示入力を行うシーソーキーは、４個のキースイッチ部に対して１個のキートップを設けて構成することができる。即ち、ユーザの希望に沿った配置構成を実現することができる。
【００１３】
本体１の入出力デバイスの選択配置スペースに形成した挿入穴５は、例えば、直径１．２ｍｍ、深さ１．２ｍｍ〜４ｍｍ、ピッチ２．２ｍｍとして、図１の（Ａ）に示すように形成することができる。又図示を省略しているが、後述のように、挿入穴５の底部或いは側面に、複数の接触片を設け、プロセッサ側に接続した配線により、接触片の相互間を接続する。又挿入穴５に挿入固定するキースイッチ部等の入出力デバイスの挿入部は、挿入穴５の構成に対応した形状とするもので、前述の直径１．２ｍｍの挿入穴５に対しては、例えば、直径１．０ｍｍ、長さ１．２ｍｍ〜４ｍｍの大きさとすることができる。又キースイッチ部の場合のキートップの大きさは、例えば、５ｍｍ×７ｍｍ程度とすることができる。又挿入部の先端又は側面に、挿入穴５の接触片と接触させる接触片を設ける。なお、挿入穴５の直径やスイッチ部等の入出力デバイスの挿入部の寸法は、本体１の選択配置スペースの寸法や、配置個数等に対応して種々変更することが可能である。
【００１４】
図２は、挿入穴と入出力デバイスとしてのキースイッチ部との概略構成の説明図であり、（Ａ）は挿入穴５の上面図、（Ｂ）は要部側断面図、（Ｃ）は挿入穴５の底部の接触片間の接続構成を示す。挿入穴５は、（Ａ）に示すように、円形の穴部５ａと、９０度間隔の位置の溝部５ｂとを有し、底部に複数の導電性の接触片６ａ〜６ｃを配置している。この接触片を２個とした場合の各挿入穴の接触片間を、（Ｃ）に示すように、直交する配線の交差部分に於いて接続する。又キースイッチ部７は、（Ｂ）に示すように、ほぼ円筒形の挿入部７ａ、この挿入部７ａの側面に形成し、溝部５ｂに挿入する為の突起部７ｂ、キートップ７ｃ、このキートップ７ｃを押し上げる為のスプリング７ｄ、スイッチ接点部７ｅ、このスイッチ接点部７ｅと接続し、挿入穴５の底部の接触片６ａ〜６ｄと接触する為の導電性の接触片７ｇ、キートップ７の押下によりスイッチ接点部７ｅを押圧してオンとする為の押圧部７ｆとを有する。この場合、スイッチ接点部７ｅを設ける位置を挿入部内として示しているが、前述のように、挿入部７ａは、直径１ｍｍ程度の細いものであるから、挿入部と連結した上側の基部内にスイッチ接点部７ｅを設け、その上にキートップ７ｃを設けることになる。又キートップ７ｃ上には、数字や文字等を表示する。
【００１５】
キースイッチ部７のスイッチ接点部７ｅの構成やキートップ７ｃの上下動作可能の構成等は、既に知られているキースイッチの構成を適用することができる。又接触片６ａ〜６ｄ，７ｇは、接触抵抗を小さくする為に、何れか一方を弾性導電体で構成することが望ましいが、接触圧力を与える構成とすれば、通常の導電体で構成することができる。又挿入穴５の底部の接触片６ａ〜６ｄは、例えば、対向する位置の接触片間を配線で接続すると共に、複数の挿入穴５の底部の接触片を配線により接続する。
【００１６】
そして、本体１の上板８に形成した挿入穴５の溝部５ｂに、挿入部７ａの突起部７ｂの位置を合わせて挿入し、４５度回転させると、図２の（Ｂ）に示すように、突起部７ｂが溝部５ｂ間の上板８によって抜け止めされる。その時、挿入穴５の底部の接触片６ａ〜６ｄの少なくとも２個と、スイッチ接点部７ｅに接続している接触片７ｇとが接触する。この場合、挿入穴５の溝部５ｂは、９０度間隔に形成していることにより、キートップ７ｃの向きを９０度間隔に選択することができる。又底部の接触片６ａ〜６ｄは、９０度間隔に向きを選択してキースイッチ部７の挿入部７ａを、挿入穴５に挿入しても、挿入部７ａの先端側の接触片７ｇと接触できるように配置している。なお、キートップ７ｃの向きを１８０度間隔で選択する場合は、挿入穴５の溝部５ｂは、１８０度間隔の２個とすることもできる。又挿入穴５にキースイッチ部７の挿入部７ａを挿入して４５度或いは９０度回転して固定する時の突起部７ｂの回転を停止させるストッパを設けることができる。
【００１７】
前述のように、キートップ７ｃの向きとその位置とを選択可能としたことにより、例えば、図３の（Ａ）に示す縦型の変形配置構成や、（Ｂ）に示す横型で数字キーを横一列の配置構成とすることができる。又図４の（Ａ），（Ｂ）に示すように、それぞれ横型ではあるが、キートップの向きが反対となる選択配置も可能である。
【００１８】
図５は、制御回路の要部説明図であり、１０は携帯電話機等の内部の制御処理を行う本体に設けたプロセッサ（ＣＰＵ）、１１は設定データ等を格納するメモリ（Ｍ）、１２，１３はプロセッサ１０のインターフェース部としての走査処理部、１４−１〜１４−ｎ及び１５−１〜１５−ｍは直交して配置した配線、１６，１７は挿入穴５の底部に設けた接触片６ａ〜６ｄに対応する接触片、１８はスイッチ接点部７ｅに対応するスイッチ接点、１９は回り込み防止用のダイオードを示す。このダイオード１９と直列に抵抗を接続した構成とすることも可能である。又スイッチ接点と共に、ダイオード１９と抵抗とを、キースイッチ部７内に設けることができる。
【００１９】
配線１４−１〜１４−ｎ，１５−１〜１５−ｍは、プリント基板上に形成し、交差部分は相互に絶縁するか、２層配線構成とし、接触片１６，１７とをスルーホール等により接続する構成とすることができる。又走査処理部１２，１３は、プロセッサ１０からの制御により配線１４−１〜１４−ｎ，１５−１〜１５−ｍを順次走査する。この場合、走査処理部１２により配線１４−１〜１４−ｎを順次選択して信号（例えば、単一或いは複数のパルス）を印加し、走査処理部１３により配線１５−１〜１５−ｍを順次走査して、信号の有無を判定し、有りの場合に、その配線番号をプロセッサ１０が認識することにより、入力内容を識別する。例えば、走査処理部１２により配線１４−１を選択し、走査処理部１３により配線１５−１を選択した時に、配線１５−１に信号が現れると、プロセッサ１０は、走査処理部１２，１３に於ける走査タイミングを認識しているか、或いは、走査処理部１２，１３からの走査配線番号の通知と、信号有りの通知とを基に、配線１４−１，１５−１間のスイッチ接点１８をオンしたと判定することができる。
【００２０】
メモリ１１は、スイッチ接点１８を設けた位置、例えば、図１の（Ｂ）に示すようなキースイッチ部を配置した位置と、数字等の入力内容とを対応付けた設定データを格納しておくことにより、プロセッサ１０は、スイッチ接点１８をオンとした位置を基にメモリ１１を検索して入力内容を識別することができる。又ダイオード１９を発光ダイオードとして、スイッチ接点１８を短絡した構成とし、この発光ダイオードを配置した位置をプロセッサ１０に於いて認識し、この発光ダイオードが接続された配線に駆動電圧を印加して、発光表示させることができる。この場合、複数の発光ダイオードを選択配置した場合は、時分割的に発光ダイオードを駆動することなる。なお、配線数を更に多数として、連続的な発光制御を行うことが可能である。
【００２１】
前述のキースイッチ部７を本体１の挿入穴５を選択して挿入し、例えば、図１の（Ｂ）に示す配置とした後、キースイッチ部７の配置位置とその入力内容とを設定する必要がある。その設定操作を図６により説明する。同図の（ａ１）〜（ａ６）は、設定過程に於ける表示部２の表示内容を示すもので、（ａ１）は、キースイッチ部７の配置位置を表示した状態を示す。このキースイッチ部７の配置位置は、先ず、本体１の挿入穴５に挿入した全部のキースイッチ部７のキートップを順次或いはランダム的に押下する。それにより、プロセッサ１０は、前述のように、走査処理部１２，１３による走査によってキースイッチ部７の位置を認識することができる。この認識結果を基に（ａ１）のキー状態として示すキー配置位置を表示する。なお、図５に示す配線１４−１〜１４−ｎ，１５−１〜１５−ｍに対して、それぞれ平行に配線を設け、その配線の交点を、キースイッチ部７を挿入した挿入穴５対応に、挿入部の先端等により短絡する構成を付加すれば、キーを順次押下する操作を省略して、走査処理部１２，１３による走査によって、プロセッサ１０は、配置位置情報を収集することができる。この配置位置情報をメモリ１１に格納する。
【００２２】
そして、点線丸印で示すキーについての設定を行う時、そのキーを短時間押下する。プロセッサ１０は、走査処理部１２，１３により押下したキースイッチ部の位置を認識すると共に、押下時間を識別し、短時間押下により設定入力と判定し、（ａ２）に示す機能選択画面を表示させる。この表示内容については予めメモリ１１に格納されている。この状態で、キー短押しとして示すように、短時間押下を繰り返す毎に、機能選択画面の選択位置がスクロールする。選択位置は、反転表示やカラー表示等により行うことができる。そして、（ａ３）に示すように、選択位置が「５，な，ＪＫＬ」を示す時に、キー長押しで機能確定となり、（ａ１）の点線丸印のキーに対して、（ａ４）に示すように、機能としての「５」が設定されたこと表示する。
【００２３】
同様なキー短押しと長押しとの操作を繰り返すことにより、全部のキーの機能を設定することができる。この場合、機能設定済の機能については、例えば、（ａ３）の表示画面に、設定済を示すマークを付けた表示を行わせることもできる。そして、（ａ５）に示す全機能確定の表示画面となった時に，任意のキーを長押しすることにより、図１の（Ｂ）に示すキートップ内容を示す機能についての設定完了となり、（ａ６）に示す通常モードの表示画面となる。又（ａ５）に示す全機能確定表示画面の時に、キー短押しにより、機能再設定と認識して、（ａ２）に示す機能選択画面が表示される。又（ａ５）に示す全機能確定表示画面に於いて、異なるキーに同一機能を設定した場合、エラー表示を行わせることも可能であるが、或る機能を複数のキーにそれぞれ設定することを許容する構成とすることも可能である。
【００２４】
図７は、機能の再設定の操作の説明図であり、電源オン時に、機能設定が行われていないキーが含まれている場合、例えば、キーの追加の場合、又はキー機能設定を指定して電源オフとした後に、電源オンとした時に、初期表示画面（図６の（ａ１）又は図７の（ｂ１）に示すキー状態の表示画面）が表示部に表示される。なお、キー機能設定を指定しないで、通常の操作により電源オフとした場合は、通常モードの表示画面となる。そして、初期表示画面が（ｂ１）に示す機能設定したキー状態を示す場合に、再設定が必要な時には、キー短押しにより、(ｂ２)に示す機能選択画面表示となり、前述のように、キー短押しにより機能選択位置がスクロールされ、例えば、（ｂ３）に示す「５，な，ＪＫＬ」が選択された時に、キー長押しにより確定し、（ｂ１）の点線丸印のキーの再設定により、（ｂ４）に示すキー状態の表示画面となる。この状態に於いて、キー長押しで確定して、（ｂ５）に示す通常モードの表示画面となる。又（ｂ４）に示す表示画面の時に、キー短押しにより、(ｂ１)に示す機能再設定の表示画面となる。この表示画面に於いて，キー長押しにより、機能確定を示すので、(ｂ５)に示す通常モードの表示画面となる。
【００２５】
図８は、前述のキースイッチ部７と挿入穴５との簡単化した構成の要部を示すもので、キートップ部分は図示を省略しており、図２と同一符号は同一名称部分を示す。又（Ａ）はキースイッチ部７の基部７ｈの一部断面図を示し、（Ｂ）は基部７ｈの下面図を示す。又（Ｃ）は、挿入穴５にキースイッチ部７の基部７ｈを挿入した状態を示し、（Ｄ）は挿入した後、９０度回転して嵌合した状態を示す。又（Ｅ）は、挿入穴５の接触片の配線による接続構成の一部を示す。
【００２６】
絶縁物から構成した基部７ｈの下面の対称位置に、（Ａ）に示すように、ほぼＬ字状の接触片７ｇを固定して、その下面は（Ｂ）に示すような接触片７ｇの配置構成として、基部７ｈに設けたスイッチ接点部７ｅと直接又は内蔵させた抵抗やダイオードを介して接続する。又本体の上板８に形成した挿入穴５の底部の接触片６ａ，６ｂは、（Ｅ）に示すように、プロセッサ側と接続した配線１４，１５に接続する。これらの配線１４，１５は、図５に於ける配線１４−１〜１４−ｎ，１５−１〜１５−ｍの一部に相当し、従って、図示を省略しているが、配線１４，１５は交差部分に於いて相互に絶縁して直交配置されている。又２個の接触片６ａ，６ｂを設けていることにより、１８０度の回転位置を選択できる場合を示している。又挿入穴５の溝部(図示を省略)に突起部７ｂを挿入した状態を（Ｃ）に示す。そして、キースイッチ部７の基部７ｈを９０度回転させると、（Ｄ）に示す状態となる。即ち、突起部７ｂが上板８により押さえられた状態となり、又接触片７ｇが、挿入穴５の底部の接触片６ａ，６ｂに接触する。なお、キートップの向きを所定の方向に定めた場合は、挿入穴５の対向位置の溝部の幅を相違させ、それに対応して、突起部７ｂの幅を相違させる。
【００２７】
図９の（Ａ）は、挿入穴５の対向位置の溝部５ｂの幅を相違させた場合を示し、これに対応して、キースイッチ部７の突起部７ｂの幅を選定することにより、挿入向きを一定の方向とすることができる。又（Ｂ）はその断面図を示し、キースイッチ部７の突起部７ｂを保持する凹部５ｆと抜け止め用の傾斜突部５ｅとを本体の上板の挿入穴５の周辺の裏面に形成し、凹部５ｆの右側がストッパの機能を果たすものである。又（Ｃ）は、挿入穴５の溝部５ｂを含む概略断面を示し、この溝部５ｂに、（Ｄ）に示すように、キースイッチ部７の突起部７ｂを矢印方向に挿入する。次に、キースイッチ部７を回転させて、（Ｅ）に示すように、矢印方向に突起部７ｂを移動させ、（Ｆ）に示すように、傾斜突部５ｅを乗り越えさせ、（Ｇ）に示すように、突起部７ｂを凹部５ｆに入るようにする。即ち、キースイッチ部７は、挿入穴５に挿入して回転することにより、抜け止め状態とすることができる。
【００２８】
なお、キースイッチ部７の突起部７ｂを、スプリング等の弾性体とし、この突起部７ｂを多数設けるか、或いは環状構成とし、挿入穴５に突起部７ｂを弾性変形させて圧入することにより、固定する構成とすることも可能である。或いは、前述の突起部７ｂ以外に弾性体の突起部又は環状体を設け、突起部７ｂと挿入穴５の溝部５ｂとの位置合わせにより、キースイッチ部７のキートップ７ｃの向きを選定する構成とすることも可能である。
【実施例２】
【００２９】
図１０は、多数の接触片を設けた場合のキースイッチ部等の入出力デバイスを用いる場合の本発明の実施例２の説明図であり、（Ａ）は上面図、（Ｂ），（Ｃ）は概略断面図を示し、図２と同一符号は同一名称部分を示す。又挿入穴５と溝部５ｂとの平面構成は図９の（Ａ）に示す構成と同一の場合を示す。この挿入穴５間に、複数の接触片とそれらを相互に接続する配線とを両面に設けた配線板２０を設ける。
【００３０】
又（Ｂ），（Ｃ）の概略断面図に於いて、９は本体の上板８に対する下板、２１は配線板２０に形成した接触片、２２は接触片２１間を接続する配線を示し、この配線２１は、プロセッサ側と接続する。又基部７ｈの下部の挿入部７ａを挿入穴５に挿入して９０度回転させ、突起部７ｂが上板８に抑えられた状態で、挿入部７ａの側面に設けた接触片と、配線板２０上の接触片２１と接触する。又挿入穴５の底部に相当する下板９上にも図８に示す接触片６ａ，６ｂを設け、図５に示す直交した配線に接続し、この接触片６ａ，６ｂに対して接触する接触片を挿入部７ａの先端側に設けて接触させることができる。この場合、本体側と、基部７ｈ側との間は、８回線経路で接続することができる。それにより、基部７ｈ側に各種の機能を搭載し、本体のプロセッサ側との間で接点オン情報のみでなく、各種の情報の送受信を可能とすることができる。即ち、基部７ｈには、スイッチ接点のみでなく、発光表示の機能や、マイクロホン、スピーカ等の各種の機能のデバイスを搭載することができる。
【００３１】
配線板２０上の配線２２は、挿入穴５の直径を１．２ｍｍ程度とし、本体の上板８と下板９との間隔を例えば４〜５ｍｍとした時、幅を０．１〜０．２ｍｍ、間隔を０．５〜０．６ｍｍ程度とし、接触片２１を、０．２×０．４ｍｍ程度とすることができる。この接触片２１の配置間隔に対応して、挿入部７ａの側面に接触片を設けることになる。なお、本体の選択配置スペースが大きく、且つ挿入穴５の個数を少なくした場合には、各部の寸法を更に大きくすることができる。
【００３２】
図１１は、挿入部の側面の接触片構成の説明図であり、前述に各図の符号と同一符号は同一名称部分を示し、７ｉ，７ｊは接触片、７ａ１〜７ａ５は挿入部７ａを構成するコネクタ部を示す。又（Ａ）は接触片７ｉの斜視図、（Ｂ）は接触片７ｉを挿入して組み立てる為の溝等を形成したコネクタ部７ａ２、（Ｃ）は接触片７ｉを装着したコネクタ部７ａ２を示す。又（Ｄ）は接触状態を示し、（Ｅ）は挿入部の側面図を示し、（Ｆ）はコネクタ部７ａ４の上面図を示す。
【００３３】
接触片７ｉは、（Ａ）に示すように、弾性金属片を湾曲した接触部と、それから延長した延長部とを有し、（Ｂ）に示す挿入溝を形成したコネクタ部に、湾曲した接触部が外側に、延長部が内側となるように接触片７ｉを嵌め込んで、（Ｃ）に示す構成とする。この場合、コネクタ部７ａ３，７ａ４は、接触片７ｉの湾曲部の位置を同一とするが、延長部の位置が相互に接触しないように、内側の溝が複数形成され、それぞれに挿入される。又先端側のコネクタ部７ａ１は、他のコネクタ部７ａ２〜７ａ５の中心部の穴を貫通し、基部７ｈ側のコネクタ部７ａ５に先端を固定する棒状体を備え、組み立てた側面を（Ｅ）に示している。又（Ｆ）に示すコネクタ部７ａ４の上面図のように、中央部分に、６個の接触片７ｉのそれぞれの延長部が位置している。又コネクタ部７ａ１の端面の接触片７ｇも延長部を有し、コネクタ部７ａ１〜７ａ４の側面の溝内に保持されてコネクタ部７ａ４の上面に導出される。又コネクタ部７ａ５は、後述の接触片７ｊを側部に設けた突起部７ｂを有し、基部７ｈと一体的に構成され、コネクタ部７ａ４の上面の各接触片７ｇ，７ｉの延長部と、基部７ｈ内のスイッチ接点等と接続する構成を有する。
【００３４】
従って、本体の挿入穴５に挿入すると、（Ｄ）に示すように、配線板上の接触片２１とコネクタ部７ａ２〜７ａ４の側面の接触片７ｉとが接触し、コネクタ部７ａ１の接触片７ｇと挿入穴５の底部の接触片６ａ，６ｂとが接触する。この実施例に於いては、基部７ｈ内に設けた各種の機能回路部と本体側とを合計８回路により接続することができる。又コネクタ部７ａ５の突起部７ｂに設けた接触片７ｊは、後述のように、直列接続配線に対する接続や直列接続配線の切断等の作用を行わせるもので、この場合の接続回路も含めると、合計９回路により接続することができる。なお、コネクタ部７ａ２〜７ａ４を更に多数積み重ねることも可能である。即ち、必要とする回路数に応じて積み重ね個数を選択することになる。又それに対応して配線板２０(図１０参照)の配線２２の本数を選定する。
【００３５】
図１２は、直列接続配線に対する接続構成の説明図であり、（Ａ）は一方の突起部７ｂを２段構成として、２個の接触片７ｊ１，７ｊ２を設けた場合を示し、（Ｂ）は両方の突起部７ｂの少なくとも側面にそれぞれ接触片７ｊ３，７ｊ４を設けた場合を示す。なお、２３は直列接続配線，２３ａ，２３ｂは接点部を示す。
【００３６】
図１２の（Ａ）の左側は、突起部７ｂを挿入穴５の溝部５ｂ（図示を省略）に挿入した状態を示し、矢印方向に９０度回転すると、右側に示すように、突起部７ｂにより接点部２３ａを開き、直列接続配線を切断し、接触片７ｊ１，７ｊ２が、開いた接点部２３ａの両側と接触する。そして、図示を省略している基部内の回路構成と接触片７ｊ１，７ｊ２とが接続されるので、直列接続配線２３に対して、基部ｈ内の機能回路部が直列に接続される。
【００３７】
又図１２の（Ｂ）の左側は、突起部７ｂを挿入穴５の溝部５ｂ(図示を省略)に挿入した状態を示し、矢印方向に９０度回転すると、右側に示すように、一方の接触片７ｊ３が接点部２３ａに、他方の接触片７ｊ４が接点部２３ｂにそれぞれ接触し、且つ接点部２３ａを開き、接触片７ｊ３，７ｊ４を介して直列接続配線２３に対して、基部７ｈ内の機能回路部を直列接続の状態とすることになる。
【００３８】
図１３は、接点部及び直列接続配線の説明図であり、（Ａ）に示す変形Ｙ字状の配線部の端部を、（Ｂ）に示すように、隣接する挿入穴５の溝にそれぞれ挿入し、一方の配線部の端部と、他方の配線部の端部とを対向接触させて接点部２３ａを構成する。この接点部２３ａ間が直列接続配線２３となる。そして、挿入穴５の溝部５ｂに挿入部の突起部７ｂを挿入して９０度回転すると、右側に示すように、突起部７ｂにより接点部２３ａを開くことになる。この場合、突起部７ｂの側面に、図１２の（Ｂ）に示す接触片７ｊ３，７ｊ４を設けることにより、図１２の（Ｂ）に示す接続構成を実現することができる。
【実施例３】
【００３９】
図１４は、本体に形成した挿入穴に圧入することにより固定する本発明の実施例３の説明図であり、（Ａ）は３個の挿入部を連結した場合の側面図、（Ｂ），（Ｃ）は概略断面図を示す。３個の挿入部３３ａ〜３３ｃを連結板３２により固定し、その連結板３２上にスイッチ接点部等の入出力デバイスの機能回路部を収容した基部３１を設ける。又挿入部３３ａ〜３３ｃは、それぞれ縦方向の異なる位置に接触片３４を設け、又先端部の側面に、直列接続配線と接続する為の接触片３５を設ける。又３６は弾性体による環状の圧入固定部を示す。なお、圧入固定部３６は、複数の突起状とすることもできる。又接触片３４は、挿入部３３ａ〜３３ｃの側面の４個所に設けた場合を示し、４個所の接触片３４を同一の金属片により構成して、基部３１側の機能回路部と１回路接続とすることも可能であるが、回路接続数を多くする為に、隣接する２個毎に、異なる金属片により構成して、基部３１側の機能回路部と２回路接続とする。
【００４０】
又図１４の（Ｂ），（Ｃ）に於いて、４１は本体の上板、４２は上板４１に対向した下板、４３は配線板、４４は接触片、４５は配線、４６は直列接続配線の接点部を示す。本体の上板４１に形成した挿入穴に挿入部３３ａ〜３３ｃを挿入し、その挿入穴の直径より僅かに大きい直径の圧入固定部３６を圧入して固定する。この状態に於いて、挿入部３３ａ〜３３ｃの接触片３５と、配線板４３上の接触片４４とそれぞれ接触し、又挿入部３３ａ〜３３ｃの先端部（接触片）により、直列接続配線の接点部４６を開くと共に、その先端部（接触片）と直列接続配線の接点部４６と電気的に接触し、図示を省略した接続配線経路で基部３１に収容した機能回路部と接続し、又接触片３５が接点部４６の固定部と接触することにより、機能回路部と図示を省略した接続配線経路で接触片３５を介して直列接続配線に接続することができる。即ち、接点部４６→先端部（接触片）→機能回路部→接触片３５→固定部の経路により、機能回路部が直列接続配線に直列的に接続される。
【００４１】
本体の上板４１に等ピッチで挿入穴を形成した場合、３個の挿入部３３ａ〜３３ｃを連結板３２により連結した構成でも、選択した挿入穴位置及び９０度毎の回転位置に設けることができる。又圧入固定部３６を設けたことにより、単一の挿入部を有する基部３１の場合でも、前述の実施例１に示すように、任意の位置を選択して挿入固定することができる。この場合、挿入するだけで、抜け止めの構成とすることができるから、挿入部を挿入穴に挿入する操作が簡単となる。
【００４２】
図１５は、挿入部の組み立て構成の概要を示すもので、（Ａ）は絶縁物により構成され、保持溝５２を形成した保持部５１の上面図、（Ｂ）は金属弾性材料により構成し、延長部５４を有する接触片５３の上面図、（Ｃ）は保持部５１の保持溝５２に接触片５３を保持させた状態の上面図を示す。又（Ｄ）は図１４に於ける挿入部３３ｃに相当する挿入部の組み立て前の分解側面図、（Ｅ）は組み立て後の側面図を示す。
【００４３】
図１５の（Ｄ）に於いて、５１は保持部、５３は接触片、５５，５７はスペーサ、５６は接触片、５８は先端部を示し、これらを組み立てると、（Ｅ）に示す構成となる。この時、接触片５３の延長部５４は、最上部の保持部５１を越えて図示を省略している基部側と接続可能の長さを有するものである。又接触片５６は、図１４に於ける挿入部の先端部側の接触片３５に相当したものとなる。又図１４に於ける挿入部３３ｂに相当する挿入部を構成する場合は、接触片５３を、上から２番目と３番目との保持部５１間に保持するように組み立て、又挿入部３３ａに相当する挿入部を構成する場合は、接触片５３を上から１番目と２番目との保持部５１間に保持するように組み立てる。又接触片５３の延長部５４の延長位置を異なる構成として、各保持部５１間にそれぞれ接触片５３を保持することにより、図１１に示すような挿入部を構成することも可能である。
【００４４】
図１６は、直列接続配線の接点部の説明図であり、（Ａ）は一部を断面で示す側面図、（Ｂ）は直列接続配線パターン図を示し、６１はリング部、６２は延長部、６３は接点部、６５は挿入部の先端部、６６，６７は接触部、６８，６９は接触部６６，６７に接続した延長接続片を示す。リング部６１を、例えば、図１４に於ける下板４２に形成した穴に挿入して固定する。このリング部６１から延長させたほぼＹ字状の延長部６２の先端の接点部６３を、隣接して配置したリング部６１に接触させる。従って、延長部６２の方向選択により、直線状パターン又は（Ｂ）に示す蛇行状の直列接続配線パターンとすることができる。
【００４５】
図示を省略した本体の上板に形成した挿入穴に、入出力デバイスの挿入部を挿入し、その先端部６５を、本体の下板に形成した穴に挿入すると、接触部６６がリング部６１の内面に接触し、又先端部６５の接触部６７により、隣接したリング部６１の延長部６２に接触して押すことにより、リング部６１から延長部６２の先端側の接点部６３が離れる。即ち、直列接続配線の一部を遮断して、隣接の延長部６２と接触部６７とが接触し、リング部６１と接触部６６とが接触し、延長接続片６８，６９を介して引き込みを行う接続構成となる。即ち、直列接続配線を一部切り離して、その間に入出力デバイスの機能回路部を接続することができる。
【００４６】
図１７は、側面複数接触の為の配線板の説明図であり、図１０に於ける配線板２０又は図１４に於ける配線板４３に適用できる配線板を示し、（Ａ）は側面図、（Ｂ）は上面図、（Ｃ）は組み立てた上面図を示す。配線板７０は、複数の配線７２と接触片７１とを両面に形成し、両端にコネクタ７３を設ける。なお、７４，７５は本体の上板と下板とに対する位置合わせ用の突部と凹部とを示す。この配線板７０を、（Ｃ）に示すように、配列された挿入穴５の両側に配置し、コネクタ７３により配線板７０の配線７２を順次直列的に接続し、図示を省略したプロセッサ側と接続する。なお、コネクタ７３の厚さは、挿入穴５の直径と、配線板７０の厚さとに対応して選定し、隣接する配線板７０の配線７２を、側面接触のような状態で、コネクタ７３を介して相互に接続し、プロセッサ側に対して全体として蛇行状な接続構成とする。
【実施例４】
【００４７】
図１８は、本発明の実施例４の説明図であり、入出力デバイスとしてスピーカを適用した場合を示し、（Ａ）は機能ブロック図、（Ｂ）は複数の機能回路部の接続説明図であり、８０は機能回路部、８１はスピーカ、８２はスピーカ駆動用のトランジスタ、８３はＤ／Ａ変換器、８４は直列並列変換器（ＳＰ）、８５は比較器、８６は記憶部、８７は検出器、８８は並列直列変換器（ＰＳ）、８９は固定値レジスタ、Ｌ１，Ｌ２は配線、Ｌ３，Ｌ３ａ，Ｌ３ｂは直列接続配線を示す。なお、機能回路部８０の動作電圧を供給する配線は図示を省略しているが、図１０又は図１４に示すように、複数の配線を設けることができるから、これらの配線の一部を利用することができる。又直列並列変換器８４と並列直列変換器８８とＤ／Ａ変換器８３とを含む回路に於けるクロック信号は、配線Ｌ１を介して伝送されるデータに同期して生成する構成を設けて発生させるか、又は図示を省略した配線を介してプロセッサ側から供給する構成とすることができる。或いは、８Ｂ１０Ｂ符号等によって、データにクロック信号を重畳して伝送する構成を適用することも可能である。
【００４８】
通常の携帯電話機に於いては、スピーカは受話器として、例えば、図１に示すように、１個設けられているが、複数設けることにより、ステレオ再生が可能となる。又スピーカが小口径であっても、複数設けることにより、大口径のスピーカに近い音質並びに音量を得ることができる。従って、本体の所望の位置及び所望の個数を設けることにより、ユーザの希望するスピーカ構成を容易に実現できる。その為に、スピーカ８１を含む機能回路部８０を、例えば、図１４に示す基部３１に設ける。その場合、スピーカ８１は上向きとする。又配線Ｌ１、Ｌ２及び電源用やクロック信号用等の配線は、例えば、図１４の配線板４３の側面の配線４５とし、又直列接続配線Ｌ３，Ｌ３ａ，Ｌ３ｂは、下板４２に設けた直列接続配線とすることができる。
【００４９】
そして、図１に示す本体１に形成した挿入穴５の位置を選択し、機能回路部８０を実装した基部と一体化された挿入部を挿入すると、機能回路部８０の検出器８７は、例えば、図１６に示す直列接続配線の一部を構成するリング部６１に接触した接触部６６の延長接続片６８と、延長部６２と接触した接触部６７の延長接続片６９との間に接続された状態となる。そして、複数の挿入部を設けた場合、検出回路８７は、プロセッサ側に対して直列に接続され、プロセッサ側からの指示情報の受信及びそれに対する応答情報や実装情報等をプロセッサ側に送出することができる。従って、複数の機能回路部８０を設けた場合、図１８の（Ｂ）に示すように、各機能回路部８０は、配線Ｌ１，Ｌ２に対して並列的に接続され、直列接続配線Ｌ３に対して直列的に接続された構成となる。
【００５０】
又直列並列変換器８４は配線Ｌ１に接続され、並列直列変換部８８は配線Ｌ２に接続される。直列並列変換器８４は、プロセッサ(図示を省略)側から直列データとして伝送するスピーカ８１のアドレス情報やＩＤ情報等による指定情報及び音声情報(通話音声及び音楽を含む)を並列情報に変換し、比較器８５により記憶部８６に記憶されたアドレス情報やＩＤ情報等の指定情報と比較し、比較一致により、自機能回路部８０が指定されたことを識別すると、Ｄ／Ａ変換器８３を動作状態として、直列並列変換器８４により変換された並列データをアナログ音声情報に変換し、トランジスタ８２によりスピーカ８１を駆動する。この場合、直列並列変換器８４とＤ／Ａ変換器８３との間にバッファメモリ(図示を省略)を設けて、音声の連続再生を可能とすることができる。
【００５１】
又並列直列変換器８８は配線Ｌ２に接続され、例えば、直列接続配線Ｌ３ａを介してプロセッサ側からの指示に従って、記憶部８６に格納したアドレス情報やＩＤ情報等の指定情報を並列直列変換器８８に入力し、変換した直列データを、配線Ｌ２を介してプロセッサ側へ送出することができる。それにより、プロセッサ側に於いて、入出力デバイスの種別と指定情報とを認識することができる。なお、スピーカ８１を除く機能回路部８１は、半導体集積回路により構成することができるから、数ｍｍの直径のスピーカ８１と共に、例えば、図１０に示す基部７ｈ内に設けることができる。又更に口径の大きいスピーカ８１の場合は、図１４に示す基部３１を大きくして、その内部に設けることができる。
【実施例５】
【００５２】
図１９は、本発明の実施例５の説明図であり、入出力デバイスとしてマイクロホンを適用した場合を示し、９０は機能回路部、９１はマイクロホン、９２は増幅器、９３はＡ／Ｄ変換器、９４は直列並列変換器（ＳＰ）、９５は比較器、９６は記憶部、９７は検出器、９８は並列直列変換器（ＰＳ）、Ｌ１，Ｌ２，Ｌ３ａ，Ｌ３ｂ，Ｌ４は配線を示す。この実施例に於いても、機能回路部９０の動作電圧を供給する為の配線は、図示を省略しているが、図１０又は図１４に示すように、複数の配線を設けることができるから、これらの配線の一部を利用することができる。又配線Ｌ４によりクロック信号を伝送する場合を示す。
【００５３】
携帯電話機に於いては、例えば、図１に示すように、１個のマイクロホンを所定の位置に設けるのが一般的であるが、ステレオ音声とする為には、少なくとも２個のマイクロホンが必要である。その場合、ハンズフリーとして通話する場合もあり、又音源位置を認識する場合は、２個以上のマイクロホンを配置することが望ましいものである。そこで、ユーザの希望する任意の位置を選択して、このマイクロホン９１を、前述のスピーカやキースイッチ部と同様に設けるものである。例えば、マイクロホン９１を含む機能回路部９０を搭載した基部の下方の挿入部を、図１に示す複数の挿入穴５の位置を選択して挿入配置することができる。即ち、キースイッチ部やスピーカ等と共に、所望の位置に配置することができる。
【００５４】
このマイクロホン９１を含む機能回路部９０を、例えば、図１４に示す基部３１に設ける。又配線Ｌ１、Ｌ２、Ｌ４は、例えば、図１４の配線板４３の側面の配線４５とし、又直列接続配線Ｌ３ａ，Ｌ３ｂは、下板４２に設けた直列接続配線とすることができる。そして、例えば、図１に示す本体１に形成した挿入穴５に、機能回路部９０を実装した基部と一体化された挿入部を挿入する。それにより、機能回路部９０の検出器９７は、例えば、図１６に示す直列接続配線の一部を構成するリング部６１に接触した接触部６６の延長接続片６８と、延長部６２と接触した接触部６７の延長接続片６９との間に接続された状態となる。そして、複数の挿入部を設けた場合、検出回路９７は、プロセッサ側に対して直列に接続され、プロセッサ側からの指示情報の受信及びそれに対する応答情報や実装情報等をプロセッサ側に送出することができる。
【００５５】
マイクロホン９１に入力された音声信号に対応する出力信号を増幅器９２により増幅し、Ａ／Ｄ変換器９３によりディジタル信号に変換し、並列直列変換器９８により直列データに変換して、配線Ｌ２に送出する。この配線Ｌ２に他のマイクロホンを含む入出力デバイスが接続されている場合に、配線Ｌ２上のデータが衝突しないように、配線Ｌ１を介してプロセッサ側からの指定情報を直列並列変換器９４により並列データに変換する。この時、配線Ｌ４を介して伝送されたクロック信号を基に、直列並列変換処理を行うことができる。
【００５６】
又プロセッサ側からの指定情報と、記憶部９６に記憶された自機能回路部９１の指定情報とを比較器９５により比較し、比較一致により自機能回路部９１が指定されていると判断し、並列直列変換器９８により変換された直列の音声データを配線Ｌ２に送出する構成とすることができる。この場合、Ａ／Ｄ変換器９３により変換した音声データをバッファ(図示を省略)に入力し、比較器９５の比較一致信号に従って所定の時間に、音声データを配線Ｌ２に送出する構成とすることができる。
【００５７】
又図１８に示すスピーカ８１を含む機能回路部８０と同様に、マイクロホン９１を含む機能回路部９０は、プロセッサ側との間のデータの送受信について、ローカル・エリア・ネットワークに於いて知られている伝送制御手段を適用して、指定された機能回路部に対するデータの送受信制御を行うことができる。
【００５８】
図２０は、プロセッサＣＰＵと入出力デバイスｄとの接続構成の説明図であり、（Ａ）は、図２の（Ｃ）又は図５に示す配線構成の場合を示し、Ｘ，Ｙ方向の配線の位置情報により、入出力デバイスｄをそれぞれプロセッサＣＰＵ側に於いて認識し、複数種類の入出力デバイスｄが搭載された場合でも、それぞれの搭載位置と種別とを認識することができる。従って、入出力デバイスｄが、前述のマイクロホン９１を含む場合に、プロセッサＣＰＵは、その指定情報を送出して音声データを受信処理し、携帯電話機等の場合は、その音声データを変調して送信することになる。又スピーカを含む場合は、プロセッサＣＰＵからＸ，Ｙ方向の配線により指定し、この配線又は平行に設けた配線を介して音声データを送出することにより、スピーカを駆動することができる。又入出力デバイスｄが、キースイッチ部の場合、図５について説明したように、押し下げによりオンとなった接点の位置情報と機能との関連付けに従って、プロセッサＣＰＵは入力処理を行う。又入出力デバイスｄとして発光ダイオード等による表示部とした場合、プロセッサＣＰＵは、その搭載位置と種別とを認識し、所望の表示制御を行うことができる。なお、発光ダイオード等の発光素子による表示部は、例えば、図１に示す本体１の複数の挿入穴５の位置を選択して配置することができる。この場合、異なる複数の発光色対応の表示部として、本体の挿入穴の位置を選択して配置し、プロセッサ側で、発光色とその配置位置とを認識しておくことにより、制御状態等を発光色により表示制御することができる。
【００５９】
又図２０の（Ｂ）は、プロセッサＣＰＵに対して入出力デバイスｄを直列接続した配線構成を示し、例えば、図１８及び図１９に示す直列接続配線Ｌ３ａ，Ｌ３ｂにより直列接続し、本体の挿入穴に挿入した入出力デバイスｄがプロセッサＣＰＵに直列接続される。プロセッサＣＰＵから複数の入出力デバイスｄを選択指定する為には、ＩＰアドレスやＭＡＣアドレス等のアドレス割り当て、このアドレスによって指定することができる。その場合、アドレスのビット数が多いことにより、入出力デバイスｄの回路規模が大きくなる可能性がある。しかし、前述の各実施例に於ける直列接続配線に、実装した入出力デバイスｄの検出器（図１８又は図１９参照）が直列に接続されるから、隣接した他の入出力デバイスｄとの区別を容易に行うことができる識別子（ＩＤ）をそれぞれ付与して、プロセッサＣＰＵ側から選択指定することができる。又図１７に示す配線板を用いた場合は、複数の配線により入出力デバイスｄがプロセッサＣＰＵに並列接続されることになる。この場合も、前述の直列接続配線の構成を併用して、選択指定を容易とする構成とすることができる。
【００６０】
（付記１）上板に形成した複数の挿入穴と、該挿入穴内に配置した複数の導電性の接触片と、プロセッサ側と接続し且つ前記接触片と接続した複数の配線とを有する本体と、前記挿入穴に挿入して固定し且つ前記接触片と接触する導電性の接触片を設けた挿入部と、該挿入部と連結した基部と、該基部に搭載し前記接触片及び前記配線を介して前記プロセッサ側と接続する機能回路部とを有する入出力デバイスとを備えたことを特徴とする携帯型入出力装置。
(付記２)前記機能回路部をスイッチ接点を含み、キートップの押下によって前記スイッチ接点をオンとする構成としたことを特徴とする付記１記載の携帯型入出力装置。
(付記３)前記機能回路部を、スピーカと該スピーカを駆動する回路構成とを含み、前記本体のプロセッサ側から制御する構成としたことを特徴とする付記１記載の携帯型入出力装置。
(付記４)前記機能回路部を、マイクロホンと該マイクロホンの出力信号を増幅出力する回路構成とを含み、前記本体のプロセッサ側に伝送する構成としたことを特徴とする付記１記載の携帯型入出力装置。
(付記５)前記機能回路部を、発光素子を含み、該発光素子を前記プロセッサ側から発光制御する構成としたことを特徴とする付記１記載の携帯型入出力装置。
【００６１】
(付記６)前記本体に、直交配置した複数の配線を設けて前記プロセッサ側と接続し、該配線の交差位置に該配線と接続した接触片を設け、前記機能回路部をスイッチ接点部とし、該スイッチ接点部に接続した接触片と前記挿入穴に設けた接触片とを接触させるように、前記入出力デバイスの挿入部を前記挿入穴に挿入して固定する構成を有することを特徴とする付記１記載の携帯型入出力装置。
(付記７)前記本体に、平行の複数の配線と接触片とを設けた配線板を、前記複数の挿入穴の配列に沿って配置し、前記配線板の前記接触片を前記挿入穴の側面側の接触片としたことを特徴とする付記１又は付記６記載の携帯型入出力装置。
【図面の簡単な説明】
【００６２】
【図１】本発明の実施例１の説明図である。
【図２】挿入穴とキースイッチ部との説明図である。
【図３】キー配置説明図である。
【図４】キー配置説明図である。
【図５】制御回路の要部説明図である。
【図６】設定操作説明図である。
【図７】再設定操作説明図である。
【図８】挿入穴とキースイッチ部との説明図である。
【図９】挿入穴の説明図である。
【図１０】本発明の実施例２の説明図である。
【図１１】挿入部接触片構成説明図である。
【図１２】直列接続配線に対する接続構成の説明図である。
【図１３】接点部及び直列接続配線の説明図である。
【図１４】本発明の実施例３の説明図である。
【図１５】挿入部の組み立ての概要説明図である。
【図１６】直列接続配線の接点部の説明図である。
【図１７】配線板の説明図である。
【図１８】本発明の実施例４の説明図である。
【図１９】本発明の実施例５の説明図である。
【図２０】接続構成の説明図である。
【符号の説明】
【００６３】
１  本体
２  表示部
３  スピーカ
４  マイクロホン
５  挿入穴
５ａ  円形穴
５ｂ  溝部
６ａ〜６ｄ  接触片
７  キースイッチ部
７ａ  挿入部
７ｂ  突起部
７ｃ  キートップ
７ｄ  スプリング
７ｅ  スイッチ接点
７ｆ  押圧部
７ｇ  接触片
８  上板
【図１】
2006041656.tif 000003
【図２】
2006041656.tif 000004
【図３】
2006041656.tif 000005
【図４】
2006041656.tif 000006
【図５】
2006041656.tif 000007
【図６】
2006041656.tif 000008
【図７】
2006041656.tif 000009
【図８】
2006041656.tif 000010
【図９】
2006041656.tif 000011
【図１０】
2006041656.tif 000012
【図１１】
2006041656.tif 000013
【図１２】
2006041656.tif 000014
【図１３】
2006041656.tif 000015
【図１４】
2006041656.tif 000016
【図１５】
2006041656.tif 000017
【図１６】
2006041656.tif 000018
【図１７】
2006041656.tif 000019
【図１８】
2006041656.tif 000020
【図１９】
2006041656.tif 000021
【図２０】
2006041656.tif 000022